(57)【特許請求の範囲】
【請求項１】
ボトル口部に被着されるキャップ本体に、該キャップ本体の頂板を貫通してボトル開口部に緩挿される内筒容器を同心状に配設し、該内筒容器内に筒状カッター体を内嵌状に螺着し、該筒状カッター体の閉鎖された上端部回りに操作摘みを設け、該操作摘みを操作してカッター体を内筒容器内に螺進させる時に、カッター体下端に設けた切刃を内筒容器の底部回りに切り込ませて切り開き、内筒容器内をボトル内に連通させるペットボトル型容器用キャップにおいて、
筒状カッター体の回動操作でカッター体下端の切刃が内筒容器の底部回りに切り込む長さを制限するストッパーを内筒容器の底部外面に設けたことを特徴とするペットボトル型容器用キャップ。
【請求項２】
内筒容器上端とこれに対応する操作摘み間にあって、筒状カッター体の回動操作を不能にする筒状カッター体回動阻止リングを内筒容器上端に一体成形したことを特徴とする請求項１に記載のペットボトル型容器用キャップ。
【請求項３】
キャップ本体とこれに対応するボトル口部間にあって、キャップ本体の回動操作を不能にするキャップ本体回動阻止リングをキャップ本体下端に一体成形したことを特徴とする請求項１又は２に記載のペットボトル型容器用キャップ。
【発明の詳細な説明】
【技術分野】
【０００１】
本発明はペットボトル型容器用キャップに関するものであり、さらに詳しくは、飲料水（ミネラルウォータなど）と飲料原料（お茶粉体など）を個別に収容して販売するペットボトル型容器に好適するペットボトル型容器用キャップに関するものである。
【背景技術】
【０００２】
自動販売機等の普及により、ペットボトル型容器は、その取扱いの容易性などから広く普及している。このペットボトル型容器に充填して販売されている飲料としては、例えば、ミネラルウォーター、お茶、天然果汁、清涼飲料など多岐にわたる。
【０００３】
このように、ペットボトル型容器入りの飲料は、缶入りのものに比べて最後まで飲み切らなくても、途中でキャップを閉めさえすれば、何度でも中の飲料を分けて飲むことができる便利さがある。
【０００４】
また、ペットボトル型容器のボトル口部の形態からしてボトル口部を口の中に入れて飲料をこぼさずに飲めるといった便利さもある。
【０００５】
しかしながら、ペットボトル型容器入りの飲料は、容器内から直接に飲むことはできる便利さはあるが、ペットボトル型容器用キャップは、容器自体が透明であるために、太陽光などにより経時的に内部の飲料の変質や変色を生じ易いために、ペットボトル型容器入りの飲料には、長期保存、変色防止を目的として多かれ少なかれ酸化防止剤等を添加している。また、飲料によってはｐＨ調整剤などの添加物が加えられることもある。
【０００６】
このように、酸化防止剤等が添加されているペットボトル型容器入りの飲料は、時間の経過とともに飲料の美味しさや風味や香りを低下させる原因になっている。つまり、ペットボトル型容器入り飲料からすれば、消費者が飲んで飲料が本来持っている美味しさや風味や香りを味わうことはできないものになっている。
【発明の開示】
【発明が解決しようとする課題】
【０００７】
本発明は、酸化防止剤等の添加物を飲料に添加することなく、簡単な操作で、飲料原料と飲料水を混合して本来持って美味しさや風味や香りを味わうことができる本物嗜好の飲料を消費者に提供できる便利なペットボトル型容器用キャップを提供することを目的としたものである。
【課題を解決するための手段】
【０００８】
前記の目的を達成するためになされた本発明に係るペットボトル型容器用キャップは、ボトル口部に被着されるキャップ本体に、該キャップ本体の頂板を貫通してボトル開口部に緩挿される内筒容器を同心状に配設し、該内筒容器内に筒状カッター体を内嵌状に螺着し、該筒状カッター体の閉鎖された上端部回りに操作摘みを設け、該操作摘みを操作してカッター体を内筒容器内に螺進させる時に、カッター体下端に設けた切刃を内筒容器の底部回りに切り込ませて切り開き、内筒容器内をボトル内に連通させることを特徴とする。
【０００９】
このように構成された本発明によれば、ペットボトル型容器内に充填された飲料水(ミネラルウォーター等)に混入して飲み物を得るための飲料原料（粉末茶、濃縮果汁ペースト等）は、ペットボトル型容器のボトル口部に被着したキャップ本体の中にあって内筒容器に収容され、この内筒容器には筒状カッター体が内嵌状に螺着してあって密閉状態にある。そこで、飲用に際して、消費者が操作摘みを操作してカッター体を内筒容器内に螺進させてカッター体下端の切刃を内筒容器の底部回りに切り込ませて切り開くと、内筒容器は容器内に連通するので、容器を振るなどして飲料水を内筒容器内に出入りさせて飲料原料を飲料水に混入溶解して飲み物を得る。
【００１０】
この後にキャップ本体をボトル口部から外して容器内から飲む飲料は、直前にミネラルウォーター等の飲料水に飲料原料に混入溶解させているので、飲料水や飲料原料には酸化防止剤等の添加物の添加を必要とせず、従って、飲み物本来の風味や香りを損なうことのない本物嗜好の美味しい飲料を場所的制約がなくどこででも飲むことがができる。
【００１１】
前記構成において、内筒容器上端とこれに対応する操作摘み間にあって、筒状カッター体の回動操作を不能にする筒状カッター体回動阻止リングを内筒容器上端に一体成形した構成にすると、商品として飲み物入りペットボトル型容器が消費者の手に渡る間に、この内筒容器回動阻止リングの破損等からして、第三者による不正使用等を簡単に発見することができる。
【００１２】
また、前記構成において、キャップ本体とこれに対応するボトル口部間にあって、キャップ本体の回動操作を不能にするキャップ本体回動阻止リングをキャップ本体下端に一体成形した構成にすると、これもまた、商品として飲み物入りペットボトル型容器が消費者の手に渡る間に、キャップ本体回動阻止リングの破損等からして、第三者による不正使用等を簡単に発見することができる。
【００１３】
前記構成において、筒状カッター体の回動操作でカッター体下端の切刃が内筒容器の底部回りに切り込む長さを制限するストッパーを内筒容器の底部外面に設けた構成にすると、筒状カッター体の回動操作で切刃が内筒容器の底部回りに切り込んで切刃の一つがストッパーに突き当たると、切刃はこのストッパーを乗り越えることはできず、切刃による切り込みはここでストップするので、切刃の数に関係なく、前後する切刃による切り込みがダブルようなことがなくなる。つまり、内筒容器の底部が切り落とされてこれがペットボトル型容器内に落ち込んで飲み物の中に入り込むようなことはない。
【発明の効果】
【００１４】
本発明に係るペットボトル型容器用キャップによれば、ペットボトル型容器内にはミネラルウォーター等の飲料水を、ボトル口部に被着したキャップ本体内の内筒容器には、飲料水に混入して飲み物を得るための飲料原料を個別に収容し、飲用に際し、消費者が簡単な摘み操作で内筒容器の内筒容器の底部に穴を明けて飲料原料を飲料水に混入溶解させて飲み物を得るので、酸化防止剤等の添加物の添加を必要とせず、飲み物本来の風味や香りが損なわれず、本物嗜好の美味しい飲料を場所的制約がなく提供できる。
【発明を実施するための最良の形態】
【００１５】
以下、本発明に係るペットボトル型容器用キャップについて図面を参照しながら具体的に説明する。
【００１６】
図１は本発明の実施形態に係るペットボトル型容器用キャップの一部を断面で示す正面図、図２は筒状カッター体の下部と筒状カッター体の下部を下側から見た部分斜視図である。
【００１７】
図において、１はキャップ本体で、その内面に設けたネジ部２を介してボトル口部にネジ込み式に被着される。
【００１８】
キャップ本体１には、その頂板３を貫通して内筒容器４を同心状に配設している。この内筒容器４の下半部４ａは、キャップ本体１内にあってボトル口部に緩挿されるもので、その下端に薄肉厚の底部５を形成している。
【００１９】
内筒容器４の上部内面にはネジ部６が設けられ、このネジ部６を介して内筒容器４内に筒状カッター体７を内嵌状に螺着している。
【００２０】
筒状カッター体７は、その上端は端板８によって閉鎖され、上端部回りには操作摘み９が設けられ、カッター体７の下端には切刃１０を設け、常態において、この切刃１０の刃先尖端を内筒容器４の底部５回りに臨ませ、操作摘み９を操作してカッター体７を内筒容器４内に螺進させる時に、刃先先端を底部５回りに切り込ませるようにしている。
【００２１】
実施の形態の筒状カッター体７は、硬質のプラスチックで一体成形され、カッター体７の下端に設ける切刃１０をカッター体周端から三角形状に立ち上げて、その軸心方向に平行する縁を回転方向に向けて切刃１０を形成している。また、筒状カッター体７を内筒容器４内に内嵌状に螺着して両者間の気密性保持のために、カッター体の先端部外周面に環状突起１１を設け、これを内筒容器４内面に摺接させるようにしている。
【００２２】
内筒容器４の上半部４ｂはキャップ本体１の頂板３上に突出し、この内筒容器４の上端とこれに対応する筒状カッター体７の操作摘み９間(隙間)にあって、筒状カッター体７の不正回動操作を不能にするカッター体回動阻止リング１２を内筒容器４の上端に一体成形している。このカッター体回動阻止リング１２の基本的構成は、汎用のペットボトル型容器用キャップに一体的に設けられる不正開封防止リングと同じようなもので、図示はしていないが、常態においては、カッター体回動阻止リング１２内面とこれが対応する筒状カッター体７の周面に設けたラチェット同士が係合して筒状カッター体を７の回動を阻止するようなものである。なお、このカッター体回動阻止リング１２は指先の操作で簡単に除去ができるようにしており、除去のためにリングの一部に切込み状に引剥し用摘み１３を設けている。
【００２３】
キャップ本体１とこれに対応するボトル口部Ａ間にあって、キャップ本体１の不正回動操作でボトル口部Ａからキャップ本体１が外されないようにするために、キャップ本体回動阻止リング１４をキャップ本体１下端に一体成形している。このキャップ本体回動阻止リング１４にしても、その基本的構成は、汎用のペットボトル型容器用キャップに一体的に設けられる不正開封防止リングと同じようなもので、図示はしていないが、常態においては、キャップ本体回動阻止リング１４の内面とこれが対応するボトル口部周面に設けたラチェット同士が係合してキャップ本体１の回動を阻止し、飲み物入りのペットボトル型容器が消費者の手に渡ってから消費者の手でキャップ本体１を回転させる時は、キャップ本体回動阻止リング１４とキャップ本体１との間に設けられたブリッジ部が破断してリング１４とキャップ本体１とを分離してキャップ本体１はボトル口部Ａから外され、キャップ本体回動阻止リング１４部分はボトル口部Ａ側に取り残されるようにしたものである。
【００２４】
また、筒状カッター体７の回動操作でカッター体下端の切刃１０が内筒容器４の底部５回りの切り開き長さを制限するためのストッパー１５を内筒容器４の底部外面に設けている。このストッパー１５には、筒状カッター体７の回動操作で底部５回りに切り込んで切刃１０の一つが突き当たると、切刃１０はここでストップして底部５の切り開きを終えるようにしたもので、これで内筒容器４の底部５が切り落とされることはないようにしている。
【００２５】
このように構成された本発明に係るペットボトル型容器用キャップの使用方法を、例えば、飲料水としてミネラルウォーターを、このミネラルウォーター(飲料水)に混入する飲料原料として粉末茶を用いる場合について説明する。
【００２６】
ペットボトル型容器に充填されたミネラルウォーターの量に見合った分量の粉末茶をキャップ本体１の内筒容器４内に投入する(実際には、ひっくり返した筒状カッター体に先に入れてから内筒容器４に移される)。キャップ本体１に筒状カッター体７を組み付ける。こうして粉末茶を封入したキャップをボトル口部Ａに被着してペットボトルは出荷される。
【００２７】
ペットボトルが消費者に渡ってペットボトル内のお茶を飲む時は、消費者は、先ず、カッター体回動阻止リング１２に設けた引剥し用摘み１３を指先で引き起こして引っ張って除去する。この後に、操作摘み９を回動操作して内筒容器４内に筒状カッター体７を螺進させると、内筒容器４の底部５回りに臨ませた切刃１０の刃先尖端が底部５回りに切り込んで底部５回りを切り開く。この切り開きは、一つの切刃１０が底部外面に設けたストッパー１５に突き当たると終わる。
【００２８】
こうして、底部５回りを切り開いて明けられた穴は、容器内に連通するので、容器を振るなどしてミネラルウォーターを内筒容器４内に出入りさせて粉末茶をミネラルウォーターに混入溶解させると、普通に飲むことができるお茶になる。こうして得られるお茶には、もともと酸化防止剤等の添加物は添加されていないので、お茶本来の風味や香りを損なうことのない本物嗜好の美味しいお茶をどこででも飲むことがができる。
【００２９】
なお、前記の実施の形態では、飲料原料として粉末茶を用いているが、粉末茶に限定されるものではなく、抹茶や粉末緑茶以外にも、他のお茶の粉末を用いることもできる。また、水に溶解させることで飲料を得ることができるコーヒー等のペーストや濃縮果汁のペーストなどを用いることができることは言うまでもない。
【産業上の利用可能性】
【００３０】
ペットボトル型容器自体は汎用の容器が使用でき、キャップ本体の形態も汎用のキャップより若干大きくなるが、取り扱いからしても、販売形態としても汎用のペットボトル型容器入り飲料ま全く同様にできるので、自動販売機等を使用して本物嗜好の飲み物を安価に提供することができる。
【図面の簡単な説明】
【００３１】
【図１】本発明の実施形態に係るペットボトル型容器用キャップの一部を断面で示す正面図である。
【図２】筒状カッター体の下部と筒状カッター体の下部を下側から見た部分斜視図である。
【符号の説明】
【００３２】
１  キャップ本体
２  ネジ部
３  頂板
４  内筒容器
４ａ  下半部
４ｂ  上半部
５  底部
６  ネジ部
７  筒状カッター体
８  端板
９  操作摘み
１０  切刃
１１  環状突起
１２  カッター体回動阻止リング
１３  引剥し用摘み
１４  キャップ本体回動阻止リング
１５  ストッパー
【要約】
【課題】簡単な操作で、飲料原料と飲料水を混合して本来飲料が持っている美味しさや風味や香りを味わうことができる本物嗜好の飲料を消費者に提供できるペットボトル型容器用キャップを提供する。
【解決手段】キャップ本体１に、該キャップ本体１の頂板３を貫通してボトル開口部に緩挿される内筒容器４を同心状に配設し、該内筒容器４内に筒状カッター体７を内嵌状に螺着し、該筒状カッター体７の閉鎖された上端部回りに操作摘み９を設け、該操作摘み９を操作してカッター体７を内筒容器４内に螺進させる時に、カッター体下端に設けた切刃１０を内筒容器４の底部５回りに切り込ませて切り開き、内筒容器４内をボトル内に連通させる。
【選択図】図１
【図１】
0003577310.tif 000002
【図２】
0003577310.tif 000003